(57)【特許請求の範囲】
【請求項１】
少なくとも、奇数走査線と偶数走査線で同一値の画素を含んで構成される色差信号を１フィールド分だけ遅延する遅延手段と、
前記色差信号と、前記遅延手段により１フィールド分だけ遅延された前記色差信号との差を演算する演算手段と、
前記演算手段により演算された前記差を1フィールド分累積して加算する加算手段と、
前記加算手段により加算して得られた信号を所定の基準値と比較し、前記信号が前記基準値より大きい場合１を出力し、前記基準値より小さい場合０を出力する比較手段と、
前記比較手段により得られた符号を順番に複数フィールド並べた符号列に基づいて、フィルム映像信号であるか否かを判定する判定手段と
を備えることを特徴とする映像信号判別装置。
【請求項２】
前記色差信号は、４：２：０フォーマットに圧縮された色差信号の一方である
ことを特徴とする請求項１に記載の映像信号判別装置。
【請求項３】
少なくとも、奇数走査線と偶数走査線で同一値の画素を含んで構成される色差信号を１フィールド分だけ遅延する遅延ステップと、
前記色差信号と、前記遅延ステップの処理により１フィールド分だけ遅延された前記色差信号との差を演算する演算ステップと、
前記演算ステップの処理により演算された前記差を1フィールド分累積して加算する加算ステップと、
前記加算ステップの処理により加算して得られた信号を所定の基準値と比較し、前記信号が前記基準値より大きい場合１を出力し、前記基準値より小さい場合０を出力する比較ステップと、
前記比較ステップの処理により得られた符号を順番に複数フィールド並べた符号列に基づいて、フィルム映像信号であるか否かを判定する判定ステップと
を含むことを特徴とする映像信号判別方法。
【請求項４】
前記色差信号は、４：２：０フォーマットに圧縮された色差信号の一方である
ことを特徴とする請求項３に記載の映像信号判別方法。
【請求項５】
少なくとも、奇数走査線と偶数走査線で同一値の画素を含んで構成される色差信号を１フィールド分だけ遅延する遅延ステップと、
前記色差信号と、前記遅延ステップの処理により１フィールド分だけ遅延された前記色差信号との差を演算する演算ステップと、
前記演算ステップの処理により演算された前記差を1フィールド分累積して加算する加算ステップと、
前記加算ステップの処理により加算して得られた信号を所定の基準値と比較し、前記信号が前記基準値より大きい場合１を出力し、前記基準値より小さい場合０を出力する比較ステップと、
前記比較ステップの処理により得られた符号を順番に複数フィールド並べた符号列に基づいて、フィルム映像信号であるか否かを判定する判定ステップと
を含むことを特徴とするコンピュータが読み取り可能なプログラムが記録されている記録媒体。
【請求項６】
前記色差信号は、４：２：０フォーマットに圧縮された色差信号の一方である
ことを特徴とする請求項５に記載の記録媒体。
【請求項７】
少なくとも、奇数走査線と偶数走査線で同一値の画素を含んで構成される色差信号を１フィールド分だけ遅延する第１の遅延ステップと、
前記色差信号と、前記第１の遅延ステップの処理により１フィールド分だけ遅延された前記色差信号との差を演算する演算ステップと、
前記演算ステップの処理により演算された前記差を1フィールド分累積して加算する加算ステップと、
前記加算ステップの処理により加算して得られた信号を所定の基準値と比較し、前記信号が前記基準値より大きい場合１を出力し、前記基準値より小さい場合０を出力する比較ステップと、
前記比較ステップの処理により得られた符号を順番に複数フィールド並べた符号列に基づいて、フィルム映像信号であるか否かを判定する判定ステップと
をコンピュータに実行させるプログラム。
【請求項８】
前記色差信号は、４：２：０フォーマットに圧縮された色差信号の一方である
ことを特徴とする請求項７に記載のプログラム。
【発明の詳細な説明】
【０００１】
【発明の属する技術分野】
本発明は、映像信号判別装置および方法、記録媒体、並びにプログラムに関し、特に、簡単な構成で、確実にフィルム映像信号であるか否かを判定することができるようにした映像信号判別装置および方法、記録媒体、並びにプログラムに関する。
【０００２】
【従来の技術】
映像信号をフリッカがより少ない状態で見ることができるようにするために、最近、インターレース方式の映像信号を、プログレシブ方式の映像信号に変換することが多くなってきた。
【０００３】
NTSC方式の映像信号は、１秒間あたり６０フィールド（３０フレーム）で構成される。これに対して、映画フィルムにより撮影された信号は、１秒間あたりのコマ数が、２４コマとされている。従って、映画の画像を、NTSC方式のビデオ信号に変換する場合、３−２プルダウン方式で変換処理が行われる。この変換処理が行われた場合、連続する２フィールドに同一のコマの画像が配置され、続く連続する３フィールドに次のコマの同一の画像が配置される。その結果、２４コマの画像を６０フィールドに割り当てることができる。
【０００４】
このように、３−２プルダウン変換されたフィルム映像信号は、連続する３フィールドのうちの最初のフィールドと、３番目のフィールドの映像信号は、全く同一の映像信号となる。インターレース方式の映像信号を、プログレシブ方式の映像信号に変換するとき、同一の映像信号が既に符号化されている場合には、２番目に現れる映像信号の処理を省略することができる。従って、フィルム映像信号であるか否かが予めわかっている場合には、より効率的な符号化が可能となる。
【０００５】
そこで、３−２プルダウン変換処理されたフィルム映像信号であるか否かを判定する方法が、例えば、米国特許４９８２２８０号に開示されている。
【０００６】
図１は、この米国特許で提案されている方式の原理を表している。同図に示されるように、映像信号は、オッド（Ｏ）とイーブン（Ｅ）のフィールドが交互に現れる信号となる。そして、３−２プルダウン変換された映像信号の場合、最初のコマＡの画像（輝度信号）は、オッドフィールドAoとイーブンフィールドAeの２つのフィールドの映像信号とされる。
【０００７】
次のコマＢの画像は、オッドフィールド、イーブンフィールド、さらにその次のオッドフィールドの３フィールドに配置される。すなわち、最初のフィールドは、オッドフィールドBoとされ、次のフィールドは、イーブンフィールドBeとされ、３番目のフィールドは、オッドフィールドBoとされる。従って、３フィールドのうちの最初のオッドフィールドBoと３番目のオッドフィールドBoは、全く同一の信号となる。
【０００８】
以下、コマＣ、コマＤ、コマＥ、コマＦといったフィルムの各コマの映像信号は、同様にビデオ信号の各フィールドに割り当てられる。
【０００９】
いま、輝度信号のうち、遅延されていない原信号をＦ０とすると、この原信号Ｆ０は、１フィールド分だけ遅延され、信号Ｆ１とされる。この信号Ｆ１は、さらに１フィールド分だけ遅延され、信号Ｆ２とされる。
【００１０】
信号Ｆ０から信号Ｆ２を減算して得られるフレームディファレンスの値は、異なったフィールドの色差信号の減算の場合、１を出力し、同じフィールドの色差信号の減算の場合、０を出力するものとすると、図１に示されるように、５フィールドを周期として、各周期に１回は、信号Ｆ０とＦ２の値がBo，De，Fo，He・・・で同一となる。その結果、Ｆ０−Ｆ２の値は、１フィールド遅れて、１１０１１１１０１１１１０・・・となる。すなわち、５フィールドを周期として、各周期に１回は、値が０となる。
【００１１】
これに対して、３−２プルダウン変換された映像信号でない、通常のNTSC方式のビデオ信号の場合、フレームディファレンスは、１１１１１１１１・・・となる。
【００１２】
従って、フレームディファレンスのパターンの違いからフィルム映像信号であるか否かを判定することができる。
【００１３】
ところで、PAL方式の場合、２５フレーム（５０フィールド）１秒となっている。フィルム画像をPAL方式のビデオ信号に変換する場合、４％速度をあげて、２−２プルダウン変換が行われる。
【００１４】
図２は、この２−２プルダウン変換時のＦ０−Ｆ１と、Ｆ０−Ｆ２を示している。
【００１５】
Ｆ０−Ｆ２の値は、Bo-Ao，Be-Ae，Co-Bo，Ce-Be，・・・のようになり、異なるコマの信号の差となるので、その差の値は大きくなり、１１１１１・・・となる。
【００１６】
一方、Ｆ０−Ｆ１の値は、Ae-Ao，Bo-Ae，Be-Bo，Co-Be，・・・のようになり、１フィールドおきに、同一のコマのフィールドの差が演算される。従って、０１０１０１・・・というパターンが得られる。
【００１７】
これに対して、通常のPAL方式の映像信号の場合（２−２プルダウン処理されていない映像信号の場合）、Ｆ０−Ｆ１とＦ０−Ｆ２の値は、いずれも、１１１１１・・・となる。従って、２−２プルダウン変換された映像信号であるか否かは、Ｆ０−Ｆ１により判定することができる。
【００１８】
【発明が解決しようとする課題】
ところで、２−２プルダウン変換時のフィールドディファレンスが、図２に示されるように、０１０１０１０１・・・のパターンになるのは、同一のコマ（フレーム）から生成されたオッドフィールドとイーブンフィールドの画像の相関性が高いことが前提となる。
【００１９】
しかしながら、例えば、映像信号の中には、特に、垂直方向に高い周波数成分を持つ画像が存在する場合がある。このような画像は、プログレシブカメラの出力する画像や、コンピュータグラフィックスによる画像に特に多い。このような画像は、同じフレームから生成されたオッドフィールドとイーブンフィールドの画像であっても、その相関性が低くなる場合がある。例えば、細かい横縞の画像は、オッドフィールドとイーブンフィールドの２フィールドの相関性が低くなることがよく知られている。
【００２０】
そこで従来、２−２プルダウン変換された映像信号を検出するための判定の閾値を小さい値に設定するようにしていた。しかしながら、そのようにすると、通常の映像信号の場合にも、１０１０１０・・・のパターンが現れてしまい、結局、２−２プルダウン変換された信号であることを正確に検出することができない課題があった。
【００２１】
本発明は、このような状況に鑑みてなされたものであり、同一のコマから生成されたオッドフィールドとイーブンフィールドの画像の相関性がなくても、フィルム映像信号を正確に検出することができるようにするものである。
【００２２】
【課題を解決するための手段】
本発明の映像信号判別装置は、上下のラインで同一値の画素を含んで構成された色差信号を１フィールド分だけ遅延する遅延手段と、この色差信号と、遅延手段により１フィールド分だけ遅延された色差信号との差を演算する演算手段と、演算手段により演算された差を1フィールド分累積して加算する加算手段と、加算手段により加算して得られた信号を所定の基準値と比較し、信号が基準値より大きい場合１を出力し、基準値より小さい場合０を出力する比較手段と、比較手段により得られた符号を順番に複数フィールド並べた符号列に基づいて、フィルム映像信号であるか否かを判定する判定手段とを備えることを特徴とする。このような構成によって、オッドフィールドとイーブンフィールドの画像の相関性に影響されることなく、フィルム映像信号かどうかを正確に検出できる。
【００２３】
前記色差信号は、４：２：０フォーマットに圧縮された色差信号の一方であるようにすることができる。
【００２４】
本発明の映像信号判別方法は、色差信号を１フィールド分だけ遅延する遅延ステップと、この色差信号と、遅延ステップの処理により１フィールド分だけ遅延された色差信号との差を演算する演算ステップと、演算ステップの処理により演算された差を１フィールド分累積して加算する加算ステップと、加算ステップの処理により加算して得られた信号を所定の基準値と比較し、信号が基準値より大きい場合１を出力し、基準値より小さい場合０を出力する比較ステップと、比較ステップの処理により得られた符号を順番に複数フィールド並べた符号列に基づいて、フィルム映像信号であるか否かを判定する判定ステップとを含むことを特徴とする。
【００２５】
本発明の記録媒体のプログラムは、色差信号を１フィールド分だけ遅延する遅延ステップと、この色差信号と、遅延ステップの処理により１フィールド分だけ遅延された色差信号との差を演算する演算ステップと、演算ステップの処理により演算された差を1フィールド分累積して加算する加算ステップと、加算ステップの処理により加算して得られた信号を所定の基準値と比較し、信号が基準値より大きい場合１を出力し、基準値より小さい場合０を出力する比較ステップと、比較ステップの処理により得られた符号を順番に複数フィールド並べた符号列に基づいて、フィルム映像信号であるか否かを判定する判定ステップとを含むことを特徴とする。
【００２６】
本発明のプログラムは、色差信号を１フィールド分だけ遅延する遅延ステップと、色差信号と、遅延ステップの処理により１フィールド分だけ遅延された色差信号との差を演算する演算ステップと、演算ステップの処理により演算された差を1フィールド分累積して加算する加算ステップと、加算ステップの処理により加算して得られた信号を所定の基準値と比較し、信号が基準値より大きい場合１を出力し、基準値より小さい場合０を出力する比較ステップと、比較ステップの処理により得られた符号を順番に複数フィールド並べた符号列に基づいて、フィルム映像信号であるか否かを判定する判定ステップとをコンピュータに実行させる。
【００２７】
本発明においては、１フィールド分だけ遅延された色差信号と、遅延されていない色差信号の差を1フィールド分累積することで、フィルム映像信号であるか否かが判定される。
【００２８】
【発明の実施の形態】
図３は、本発明のフィルム映像信号判別装置を適用したDVDプレーヤの構成例を表している。この構成例においては、DVDドライブ１により図示せぬDVD（Digital Versatile Disc）が再生される。このDVDには、インターレース方式の映像信号が４：２：０フォーマットで記録されている。図４は、この４：２：０フォーマットを説明する図である。
【００２９】
このフォーマットの場合、輝度信号は、図４Ａに示されるように、１画素毎にそれぞれ所定の値を有することになる。これに対して、色差信号Ｂ−Ｙと色差信号Ｒ−Ｙは、それぞれ図４Ｂと図４Ｃに示されるように、２×２の４画素分が同一の値とされている。
【００３０】
DVDドライブ１によりDVDより再生された映像信号は、MPEG２（Moving Picture Expert Group）デコーダ２に供給され、デコードされる。MPEG２デコーダ２によりデコードされた信号のうち、垂直同期信号Vsは、加算回路６と比較回路７に供給される。輝度信号Ｙ、並びに色差信号Ｂ−Ｙ，Ｒ−Ｙは、それぞれ検出回路２１の１フィールド遅延回路３に供給される。１フィールド遅延回路３は、入力された信号を１フィールド分だけ遅延した後、さらに後段の１フィールド遅延回路４に供給する。１フィールド遅延回路３が出力した信号は、また、減算回路５と時間軸圧縮回路１０に供給される。
【００３１】
１フィールド遅延回路４は、１フィールド遅延回路３より入力された信号をさらに１フィールド分だけ遅延した後、セレクタ９に出力する。セレクタ９には、また、MPEG２デコーダ２より出力された遅延されていない輝度信号Ｙ、並びに色差信号Ｂ−Ｙ，Ｒ−Ｙ信号も供給されている。
【００３２】
減算回路５は、MPEG２デコーダ２より出力された遅延されていない信号Ｆ０のうちの色差信号Ｂ−Ｙ、またはＲ−Ｙと、１フィールド遅延回路３より出力された１フィールド分だけ遅延された映像信号Ｆ１のうちの色差信号Ｂ−Ｙ、またはＲ−Ｙの差を演算する。
【００３３】
減算回路５からの出力は、加算回路６に供給され、各フィールド毎に出力の値が累積加算される。加算回路６より出力された値は、比較回路７に供給され、各フィールド毎に予め設定されている所定の基準値と比較される。
【００３４】
比較回路７の出力は、コントローラ８に供給される。コントローラ８は、比較回路７の出力から、いま入力されている映像信号がフィルム映像信号であるか否かを、そのシーケンスにより判定する。
【００３５】
そして、コントローラ８は、セレクタ９を制御し、MPEG２デコーダ２より出力された遅延されていないフィールドの信号Ｆ０と、１フィールド遅延回路４により、信号Ｆ０に対して結局２フィールド分だけ遅延された信号Ｆ２の一方を選択し、時間軸圧縮回路１１に出力する。すなわち、コントローラ８は、１フィールド遅延回路３より出力された１フィールド分だけ遅延された信号Ｆ１を基準に、その前後のフィールドの信号Ｆ０および信号Ｆ２のうち、信号Ｆ１により近いものを選択する。
【００３６】
時間軸圧縮回路１０は、１フィールド遅延回路３より出力された１フィールド分だけ遅延された信号Ｆ１を、時間軸圧縮により倍速変換し、セレクタ１２に出力する。時間軸圧縮回路１１もまた、セレクタ９より入力された信号を時間軸圧縮により倍速変換し、セレクタ１２に出力する。セレクタ１２は、コントローラ８により制御され、時間軸圧縮回路１０または時間軸圧縮回路１１より入力された信号のいずれか一方を選択し、Ｄ／ＡコンバータＡ１３に出力する。Ｄ／ＡコンバータＡ１３は、入力された信号をＤ／Ａ変換し、プログレシブビデオ信号として出力する。なお、コントローラ８は、水平同期信号と垂直同期信号も生成し、出力する。
【００３７】
次に、図５のフローチャートを参照して、図３のDVDプレーヤの動作について説明する。また、図６は、本発明における３−２プルダウン検出の原理を説明する図である。必要に応じて、この図６を参照して説明する。
【００３８】
再生が指令されると、DVDドライブ１は、装着されているDVDを再生し、その映像信号を出力する。MPEG２デコーダ２は、DVDドライブ１より入力された映像信号をMPEG方式でデコードし、輝度信号Ｙ、色差信号Ｂ−Ｙ、色差信号Ｒ−Ｙをそれぞれ１フィールド遅延回路３とセレクタ９に出力する。また、減算回路５には、色差信号Ｂ−ＹまたはＲ−Ｙのみが入力される。
【００３９】
ここで、DVDドライブ１が再生、出力している映像信号は、図４に示されるように、４：２：０フォーマットの信号とされている。このフォーマットの場合、図４Ａの、例えば、第１ラインに対応する色差信号Ｂ−Ｙ（オッドフィールドの色差信号Ｂ−Ｙ）と、第２ラインに対応する色差信号Ｂ−Ｙ(イーブンフィールドの色差信号Ｂ−Ｙ)は、同一の値となる。
【００４０】
１フィールド遅延回路３は、ステップＳ１において、入力された色差信号Ｂ−ＹまたはＲ−Ｙを１フィールド分遅延し、減算回路５に出力する。
【００４１】
減算回路５は、ステップＳ２において、MPEG２デコーダ２より出力された遅延されていない信号Ｆ０のうち、色差信号（図６Ｂ）を取り込むとともに、１フィールド遅延回路３より出力された１フィールド分だけ遅延された信号Ｆ１の色差信号（図６Ｃ）を取り込み、Ｆ０−Ｆ１を演算する（図６Ｄ）。このＦ０−Ｆ１の減算では、対応する同一のコマまたはフレームの信号であれば、常に０を出力し、異なったコマまたはフレームの信号であれば、１を出力するものとする。
【００４２】
ステップＳ３において、減算回路５より出力された差信号（図６Ｄ）は、加算回路６に出力され、１フィールド分の値が加算される。比較回路７は、ステップＳ４において、加算回路６より供給された１フィールド分の加算値と、予め設定されている基準値とを比較する。この基準値は、累積された差の値の最大値と最小値の中間の値に設定されている。
【００４３】
比較回路７は、加算値が基準値より大きい場合、ステップＳ６に進み、論理１を出力し、加算値が基準値より大きくない場合、ステップＳ５に進み、論理０を出力する。なお、１フィールド分の加算が必要なため、比較回路７の出力（図６Ｄ）は、１フィールド分遅延することになる。
【００４４】
図６においては、１フィールド目において、遅延されていない色差信号Ｆ０（図６Ｂ）の値はＢとなり、１フィールド分遅延された色差信号Ｆ１（図６Ｃ）の値はＡとなり、１フィールドに渡ってそれらの値が異なる。その場合、ステップＳ２において、減算回路５より１が出力され、ステップＳ３において、加算回路６により１フィールド分の値が加算され、２フィールド目のタイミングで（１フィールド分遅延されて）、ステップＳ４において、比較回路７により、加算器６より供給された１フィールド分の加算値と、所定の基準値とが比較され、比較回路７より１が出力される（図６Ｄ）。
【００４５】
また、２フィールド目において、遅延されていない色差信号Ｆ０（図６Ｂ）の値、および１フィールド分遅延された色差信号Ｆ１（図６Ｃ）の値は、ともにＢとなり、両者が同一となる。その場合、ステップＳ２において、減算回路５より０が出力され、ステップＳ３において、加算回路６により１フィールド分の値が加算され、３フィールド目のタイミングで（１フィールド分遅延されて）、ステップＳ４において、比較回路７により、加算器６より供給された１フィールド分の加算値と、所定の基準値とが比較され、比較回路７より０が出力される（図６Ｄ）。
【００４６】
コントローラ８は、ステップＳ７において、比較回路７が出力する論理１と論理０のパターン（図６Ｄ）から、いまDVDドライブ１により再生出力されている映像信号がフィルム映像信号であるか否かを判定する。
【００４７】
従って、図６Ｄに示されるように、比較回路７が出力するフィールドディファレンスのパターンは、３−２プルダウン方式の映像信号の場合、１００１０１００１０１・・・となる。このようにして、フィルム映像信号であることと、そのシーケンス（位相）が判定できる。
【００４８】
図７は、通常の動画の映像信号の検出の原理を説明する図であり、図８は、通常の静止画の映像信号の検出の原理を説明する図であり、図９は、本発明における２−２プルダウン方式の映像信号の検出の原理を説明する図である。このような、通常の映像信号である場合、動画であれば、フィールド単位で符号化が行われているため、Ｆ０−Ｆ１のパターンは、図７に示されるように、１１１１１１・・・となり、静止画であれば、フレーム単位で符号化が行われているため、図８に示されるように、０００００・・・となる。従って、このパターンの差からフィルム映像信号であるのか、通常の映像信号であるのかを確実に判定することができる。
【００４９】
なお、２−２プルダウン方式の映像信号の場合、Ｆ０−Ｆ１のパターンは、図９に示されるように、１０１０１０１０・・・となる。従来の技術では、同一のコマ（フレーム）から生成されたオッドフィールドとイーブンフィールドの画像の相関性が高いことが前提となっていたが、本実施の形態においては、映像信号が４：２：０フォーマットで記録されていることを利用しているため、画像の相関性がない場合においても、判定が可能である。
【００５０】
図１０は、本発明におけるプログレシブ信号変換の原理を説明する図である。図１０Ａ、図１０Ｂ、図１０Ｄ、および図１０Ｇは、それぞれ、図６Ａ、図６Ｂ、図６Ｃ、および図６Ｄと同じである。図３において、セレクタ９は、コントローラ８により制御され、図１０Ｈに示されるように、３フィールドに１回に引き続き、２フィールドに１回の割合で、１フィールド遅延回路４より出力された２フィールド遅延された信号Ｆ２を選択する。セレクタ９は、それ以外の時、遅延されていない信号Ｆ０信号を選択する。
【００５１】
セレクタ９より出力された信号が、プログレッシブ方式への変換のため時間軸圧縮回路１１に供給され、時間軸圧縮により倍速変換される。時間軸圧縮回路１０は、１フィールド遅延回路３より出力された１フィールド遅延された信号Ｆ１を時間軸圧縮により倍速変換する。
【００５２】
この時間軸圧縮回路１０と時間軸圧縮回路１１における入力と出力のタイミングを図１１に示す。なお、図１２、図１３、および図１４は、図１１における期間Ｔ１からＴ３までの部分をそれぞれ拡大して示している。
【００５３】
なお、これらの図において、説明の便宜上、各フィールドは、６本のラインにより構成されているものとされている。
【００５４】
セレクタ９が図１０Ｈに示されるように、フィールドＦ０またはフィールドＦ２の信号を選択する結果、その出力のうち、輝度信号は、図１０Ｉに示されるようになり、色差信号は、図１０Ｊに示されるような信号になる。
【００５５】
時間軸圧縮回路１０は、図１１と図１２に示されるオッドフィールドの期間Ｔ１において、１フィールド遅延回路３より出力された信号Ｆ１の第１ラインのデータを書き込み、時間軸圧縮して、セレクタ１２に出力する。時間軸圧縮回路１１は、セレクタ９より供給された第２ラインのデータを圧縮し、時間軸圧縮回路１０が第１ラインのデータを出力した後、セレクタ１２に出力する。
【００５６】
以下同様に、時間軸圧縮回路１０は、第３ライン、第５ラインのデータを順次圧縮し、出力し、時間軸圧縮回路１１は、第４ラインおよび第６ラインのデータを順次圧縮し、出力する。
【００５７】
セレクタ１２は、時間軸圧縮回路１０または時間軸圧縮回路１１より出力された各ラインのデータを交互に選択することにより、第１ライン、第２ライン、第３ライン、第４ライン、第５ライン、第６ラインの順番でＤ／Ａコンバータ１３に出力する。Ｄ／Ａコンバータ１３は、入力されたデータをＤ／Ａ変換し、出力する。
【００５８】
図１１と図１３に示されるように、イーブンフィールドの期間Ｔ２においては、時間軸圧縮回路１０は、第２ライン、第４ライン、第６ラインのデータを順次圧縮、出力し、時間軸圧縮回路１１は、第１ライン、第３ライン、第５ラインのデータを順次圧縮し、出力する。
【００５９】
セレクタ１２は、この場合においても時間軸圧縮回路１０と時間軸圧縮回路１１の出力を交互に選択することにより、第１ライン乃至第６ラインのデータを順番に選択、出力する。
【００６０】
図１１と図１４に示されるオッドフィールドの期間Ｔ３においては、期間Ｔ１における場合と同様の処理が実行される。
【００６１】
上述した一連の処理は、ハードウエアにより実行させることもできるが、ソフトウエアにより実行させることもできる。この場合、例えば、DVDプレーヤは、図１５に示されるようなコンピュータにより構成される。
【００６２】
図１５に示されるコンピュータは、CPU（Central  Processing  Unit）４１、ROM（Read  Only  Memory）４２、RAM（Random  Access  Memory）４３、ドライブ５０を少なくとも備えており、CPU４１は、ROM４２に記憶されているプログラム、または記憶部４８からRAM４３にロードされたプログラムに従って各種の処理を実行する。RAM４３にはまた、CPU４１が各種の処理を実行する上において必要なデータなども適宜記憶される。
【００６３】
CPU４１、ROM４２、およびRAM４３は、バス４４を介して相互に接続されている。このバス４４にはまた、入出力インタフェース４５も接続されている。
【００６４】
入出力インタフェース４５には、キーボード、マウスなどよりなる入力部４６、CRT、LCDなどよりなるディスプレイ、並びにスピーカなどよりなる出力部４７、ハードディスクなどより構成される記憶部４８、モデム、ターミナルアダプタなどより構成される通信部４９が接続されている。通信部４９は、インターネットを含むネットワークを介しての通信処理を行う。
【００６５】
入出力インタフェース４５にはまた、必要に応じてドライブ５０が接続され、磁気ディスク６１、光ディスク６２、光磁気ディスク６３、或いは半導体メモリ６４などが適宜装着され、それらから読み出されたコンピュータプログラムが、必要に応じて記憶部４８にインストールされる。
【００６６】
上述した一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００６７】
この記録媒体は、図１５に示されるように、装置本体とは別に、ユーザにプログラムを提供するために配布される、プログラムが記録されている磁気ディスク６１（フロッピディスクを含む）、光ディスク６２（CD-ROM(Compact Disk-Read Only Memory),DVD(Digital Versatile Disk)を含む）、光磁気ディスク６３（ＭＤ（Mini-Disk）を含む）、もしくは半導体メモリ６４などよりなるパッケージメディアにより構成されるだけでなく、装置本体に予め組み込まれた状態でユーザに提供される、プログラムが記録されているROM４２や、記憶部４８に含まれるハードディスクなどで構成される。
【００６８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００６９】
また、本明細書において、システムとは、複数の装置により構成される装置全体を表すものである。
【００７０】
なお、本発明の映像信号判別装置は、DVDプレーヤに限らず、MPEG２により圧縮符号化処理がなされたデジタル放送を受信するデジタル放送受信機にも適用できることは言うまでもない。
【００７１】
【発明の効果】
以上のごとく本発明の映像信号判別装置および方法、記録媒体、並びにプログラムによれば、色差信号に基づいてフィルム映像信号であるか否かを判定するようにしたので、確実な判定を行うことが可能となる。
【図面の簡単な説明】
【図１】従来の３−２プルダウン方式の検出の原理を説明する図である。
【図２】従来の２−２プルダウン方式の検出の原理を説明する図である。
【図３】本発明を適用したDVDプレーヤの構成を示すブロック図である。
【図４】４：２：０フォーマットを説明する図である。
【図５】本発明のフィルム映像信号判定処理を説明するフローチャートである。
【図６】本発明の３−２プルダウンの映像信号の検出の原理を説明する図である。
【図７】通常の動画の映像信号の検出の原理を説明する図である。
【図８】通常の静止画の映像信号の検出の原理を説明する図である。
【図９】本発明の２−２プルダウン方式の映像信号の検出の原理を説明する図である。
【図１０】本発明のプログレシブ信号変換の原理を説明する図である。
【図１１】図３のDVDプレーヤにおける時間軸圧縮回路の書き込みと読み出しを説明するタイミングチャートである。
【図１２】図１１の期間Ｔ１の部分を拡大して示すタイミングチャートである。
【図１３】図１１の期間Ｔ２の部分を拡大して示すタイミングチャートである。
【図１４】図１１の期間Ｔ３の部分を拡大して示すタイミングチャートである。
【図１５】本発明が適用されるコンピュータの構成例を示すブロック図である。
【符号の説明】
１  DVDドライブ，  ２  MPEG２デコーダ，  ３，４  １フィールド遅延回路，  ５  減算回路，  ６  加算回路，  ７  比較回路，  ８  コントローラ，  ９  セレクタ，  １０，１１  時間軸圧縮回路，  １２  セレクタ，  １３  Ｄ／Ａコンバータ
【図１】
0003674607.tif 000002
【図２】
0003674607.tif 000003
【図３】
0003674607.tif 000004
【図４】
0003674607.tif 000005
【図５】
0003674607.tif 000006
【図６】
0003674607.tif 000007
【図７】
0003674607.tif 000008
【図８】
0003674607.tif 000009
【図９】
0003674607.tif 000010
【図１０】
0003674607.tif 000011
【図１１】
0003674607.tif 000012
【図１２】
0003674607.tif 000013
【図１３】
0003674607.tif 000014
【図１４】
0003674607.tif 000015
【図１５】
0003674607.tif 000016